(57)【要約】【課題】漏水対策を施す必要がなく、洗浄液を定期的に取り替えるというような煩わしい作業も不要な遊技媒体研磨装置であって、遊技媒体をスムースに搬送しながら、遊技媒体の両方の側を確実にむらなく研磨することができる。【解決手段】外周に乾式の研磨部材５ａが設けられ、この研磨部材５ａが所定の周速度で周回駆動される一方の研磨機５と、外周に乾式の研磨部材６ａが設けられ、この研磨部材６ａが一方の研磨機５に設定された周速度より速い周速度で周回駆動される他方の研磨機６とを有する少なくとも１つの研磨機対４を備え、研磨機対４は、一方の研磨機５の研磨部材５ａと他方の研磨機６の研磨部材６ａとの間に遊技媒体１を挟持して搬送しながら遊技媒体１を研磨する。【選択図】図２
2007007385.tif 000002
【特許請求の範囲】
【請求項１】
遊技媒体を研磨する遊技媒体研磨装置であって、
外周に乾式の研磨部材が設けられ、この研磨部材が所定の周速度で周回駆動される一方の研磨機と、
外周に乾式の研磨部材が設けられ、この研磨部材が上記一方の研磨機に設定された周速度より速い周速度で周回駆動される他方の研磨機とを有する少なくとも１つの研磨機対を備え、
上記研磨機対は、一方の研磨機の研磨部材と他方の研磨機の研磨部材との間に遊技媒体を挟持して搬送しながら遊技媒体を研磨するものであることを特徴とする遊技媒体研磨装置。
【請求項２】
上記研磨機対は、少なくとも一方の研磨機の研磨部材が、研磨ブラシを備えていることを特徴とする請求項１に記載の遊技媒体研磨装置。
【請求項３】
上記研磨機対は、少なくとも一方の研磨機の研磨部材が、粘着部材を備えていることを特徴とする請求項１に記載の遊技媒体研磨装置。
【請求項４】
上記粘着部材はシリコンゴムからなることを特徴とする請求項３に記載の遊技媒体研磨装置。
【請求項５】
上記研磨機対の一方の研磨機と他方の研磨機とは、それぞれ少なくとも外周に研磨部材が設けられた回転ローラーか、もしくは外周に研磨部材が設けられたベルトコンベアかのいずれかを備えていることを特徴とする請求項１ないし請求項４のいずれかに記載の遊技媒体研磨装置。
【請求項６】
複数の上記研磨機対を備え、
それぞれの研磨機対の周速の遅い一方の研磨機は、隣接する研磨機対の周速の速い他方の研磨機の隣に配置されるとともに、
それぞれの研磨機対の周速の速い他方の研磨機は、隣接する研磨機対の周速の遅い一方の研磨機の隣に配置されていることを特徴とする請求項１ないし請求項５のいずれかに記載の遊技媒体研磨装置。
【請求項７】
上記研磨部材は、研磨機に対して着脱自在に設けられていることを特徴とする請求項１ないし請求項６のいずれかに記載の遊技媒体研磨装置。
【請求項８】
上記研磨部材は、ローラー軸の外周に研磨ブラシあるいは粘着部材が固定されたものであり、このローラー軸を介して研磨機から動力を受けて回転駆動されることを特徴とする請求項７に記載の遊技媒体研磨装置。
【請求項９】
上記研磨部材は、耐水性材料あるいは耐溶剤性材料からなることを特徴とする請求項１ないし請求項８のいずれかに記載の遊技媒体研磨装置。
【発明の詳細な説明】
【技術分野】
【０００１】
本発明は、例えば、スロットマシンで用いられるメダルなどの遊技媒体を研磨する遊技媒体研磨装置に関するものである。
【背景技術】
【０００２】
スロットマシンで用いられるメダルなどの遊技媒体を洗浄して研磨する遊技媒体研磨装置として、従来、２つの研磨部材の間に遊技媒体を挟持して研磨するものが一般に知られている。
【０００３】
例えば、特許文献１には、洗浄液塗布部と研磨部とを備え、研磨部が、遊技媒体を載せて搬送するコンベアと、コンベアに対向し、コンベアとの間に遊技媒体を挟み込む研磨面とを有し、コンベアのベルト面と研磨面とが同じ材質で構成された遊技媒体洗浄装置の技術が開示されている。
【特許文献１】特開２００２−２３９１８８号公報
【発明の開示】
【発明が解決しようとする課題】
【０００４】
しかしながら、上述の遊技媒体洗浄装置では、遊技媒体の研磨に際して水などの洗浄液を用いて湿式で研磨、洗浄するので、漏水対策を施さなければならず、構造が複雑となり、製造コストを増加させる原因となっていた。
【０００５】
また、洗浄液を定期的に取り替えるという煩わしい作業が必要なので、装置のメンテナンスが容易でなかった。
【０００６】
さらに、一方の研磨部材が常に静止した状態になっているので、遊技媒体が搬送の途中で滞りがちとなり、遊技媒体をスムースに搬送することができなかった。
【０００７】
しかも遊技媒体が搬送の途中で滞った場合は、下側だけが研磨され、遊技媒体の両方の側を確実にむらなく研磨するということができなかった。
【０００８】
本発明は上記不具合に鑑みてなされたものであり、漏水対策を施す必要がなく、装置全体構造の簡素化と製造コストの低減を図ることができる遊技媒体研磨装置を提供することを課題としている。
【０００９】
また、洗浄液を定期的に取り替えるというような煩わしい作業が不要でメンテナンスが容易な遊技媒体研磨装置を提供することを課題としている。
【００１０】
さらに、遊技媒体をスムースに搬送しながら、遊技媒体の両方の側を確実にむらなく研磨することができる遊技媒体研磨装置を提供することを課題としている。
【課題を解決するための手段】
【００１１】
上記課題を解決するための本発明は、遊技媒体を研磨する遊技媒体研磨装置であって、外周に乾式の研磨部材が設けられ、この研磨部材が所定の周速度で周回駆動される一方の研磨機と、外周に乾式の研磨部材が設けられ、この研磨部材が上記一方の研磨機に設定された周速度より速い周速度で周回駆動される他方の研磨機とを有する少なくとも１つの研磨機対を備え、上記研磨機対は、一方の研磨機の研磨部材と他方の研磨機の研磨部材との間に遊技媒体を挟持して搬送しながら遊技媒体を研磨するものであることを特徴としている。
【００１２】
本発明によれば、乾式の研磨部材同士の間に遊技媒体を挟持して研磨するので、水などの洗浄液を必要としない結果、漏水対策を施す必要がなく、装置全体構造の簡素化と製造コストの低減を図ることができる遊技媒体研磨装置を実現することができる。
【００１３】
また、このように遊技媒体の研磨に際して洗浄液を必要としないので、洗浄液を取り替えるような煩わしい作業が不要となる結果、装置のメンテナンスが容易になる。
【００１４】
さらに、研磨機対が遊技媒体を挟持して搬送する際、一方の研磨機と他方の研磨機との周速度が異なるために、遊技媒体は、これらの周速度の中間の速度で駆動されることになる。その結果、一方の研磨機の研磨部材と他方の研磨機の研磨部材とが、それぞれ遊技媒体に対して相対的な運動をすることになり、遊技媒体は、それぞれの研磨機から摩擦力を受け、研磨される。このように、本遊技媒体研磨装置によれば、遊技媒体をスムースに搬送しながら、しかも遊技媒体の両方の側を確実に研磨することができるようになる。
【００１５】
ここで、上記研磨機対は、少なくとも一方の研磨機の研磨部材が、研磨ブラシを備えていることが好ましい。
【００１６】
このようにすれば、研磨部材に備えられた研磨ブラシにより、遊技媒体の表面に凹凸があってもむらなく研磨をすることができるようになる。また、遊技媒体の表面を傷つけることを防止することができる。
【００１７】
あるいは、上記研磨機対は、少なくとも一方の研磨機の研磨部材が、粘着部材を備えていることが好ましい。
【００１８】
このようにすれば、研磨機対の少なくとも一方の研磨機の研磨部材が、粘着部材を備えているので、遊技媒体の汚れを粘着部材に集中的に吸着させることができる結果、この粘着部材を取り替えたり洗浄したりするだけで遊技媒体の汚れを回収することができるようになる。
【００１９】
ここで、上記粘着部材はシリコンゴムからなることが好ましい。
【００２０】
このようにすれば、粘着部材がシリコンゴムからなるので、遊技媒体の汚れをより効果的に吸着させることができる。また、シリコンゴムは、水その他の溶剤で容易に洗浄することができるだけでなく繰り返し再使用することができるので、経済的に遊技媒体の汚れを取り除くことができるようになる。
【００２１】
また、上記研磨機対の一方の研磨機と他方の研磨機とは、それぞれ少なくとも外周に研磨部材が設けられた回転ローラーか、もしくは外周に研磨部材が設けられたベルトコンベアかのいずれかを備えていることが好ましい。
【００２２】
このようにすれば、研磨機対の研磨機が、それぞれ回転ローラーやベルトコンベアで構成されるので、従来の回転駆動装置や搬送の技術を適用することが可能になる結果、構造が簡単で安価な装置とすることができるようになる。
【００２３】
また、この遊技媒体研磨装置は、複数の上記研磨機対を備え、それぞれの研磨機対の周速の遅い一方の研磨機は、隣接する研磨機対の周速の速い他方の研磨機の隣に配置されるとともに、それぞれの研磨機対の周速の速い他方の研磨機は、隣接する研磨機対の周速の遅い一方の研磨機の隣に配置されていることが好ましい。
【００２４】
このようにすれば、遊技媒体のそれぞれの側が、周速度の遅い一方の研磨機と周速度の速い他方の研磨機とにより交互に研磨される結果、遊技媒体の表面をむらなく研磨することができるようになる。
【００２５】
また、上記研磨部材は、研磨機に対して着脱自在に設けられていることが好ましい。
【００２６】
このようにすれば、研磨部材が、研磨機に対して着脱自在に設けられているので、例えば研磨部材が汚れたり、磨耗したり、損傷したりした場合には、研磨部材をメンテナンスしたり取り替えたりすることができる結果、遊技媒体の表面を常に良好な状態に維持することができるようになる。
【００２７】
ここで、上記研磨部材は、研磨機に対して着脱自在に軸支されるローラー軸の外周に研磨ブラシあるいは粘着部材が固定されたものであり、このローラー軸を介して研磨機から動力を受けて回転駆動されることが好ましい。
【００２８】
このようにすれば、研磨部材が、研磨機に対して着脱自在に軸支されるローラー軸の外周に研磨ブラシあるいは粘着部材が固定されたものであり、このローラー軸を介して研磨機から動力を受けて回転駆動されるので、研磨部材の回転駆動、研磨機に対する着脱およびメンテナンスが容易で取り扱いやすい遊技媒体研磨装置を実現することができる。
【００２９】
さらに、上記研磨部材は、耐水性材料あるいは耐溶剤性材料からなることが好ましい。
【００３０】
このようにすれば、研磨部材が、耐水性材料あるいは耐溶剤性材料からなるので、研磨部材を水あるいは溶剤で洗浄してその汚れを取り除くことができるようになる。
【発明の効果】
【００３１】
以上説明したように、本発明によれば、漏水対策を施す必要がなく、装置全体構造の簡素化と製造コストの低減を図ることができる遊技媒体研磨装置を実現することができる。また、洗浄液を取り替えるような煩わしい作業が不要となり、装置のメンテナンスが容易になるという顕著な効果を奏する。
【００３２】
さらに、遊技媒体をスムースに搬送しながら、しかも遊技媒体の両方の側を確実にむらなく研磨することができるようになるという顕著な効果を奏する。
【発明を実施するための最良の形態】
【００３３】
以下、添付図面を参照しながら本発明の好ましい実施の形態について詳述する。図１は、本発明の第１の実施形態に係る遊技媒体研磨装置１０の外観を示す斜視図であり、図２は、本発明の第１の実施形態に係る遊技媒体研磨装置１０の内部の構成を示す概念図である。
【００３４】
図１と図２とを参照して、図示の本発明の第１の実施形態に係る遊技媒体研磨装置１０は、例えば、スロットマシンで用いられるメダルなどの遊技媒体１を研磨する遊技媒体研磨装置１０であって、本体２の中に、遊技媒体１を移送するメダル移送手段３（図２）と、研磨部材５ａ、６ａの間に遊技媒体１を挟持して搬送しながら遊技媒体１を研磨する３つの研磨機対４（図２）を備えている（３つの研磨機対４を対Ａ、対Ｂ、対Ｃと区別する）。
【００３５】
上記遊技媒体１は、各種遊技において貨幣に代わる遊技媒体１として用いられる円形コイン状の金属製部材であり、本実施形態においては、スロットマシンに用いられるメダルが対象となっている。
【００３６】
上記本体２は、ステンレスや合成樹脂被覆鋼板などで概ね直方体に組み立てられた箱体である。この本体２は、遊技媒体１を上部に設けた傾斜板２ａの上を滑らせるようにして受け入れ、傾斜板２ａの下端の下方に設けられたメダル移送手段３に供給するように構成されている。
【００３７】
上記メダル移送手段３は、無端ベルト３ａと、この無端ベルト３ａが掛け渡された２つの回転ローラ３ｂ、３ｃとを有している。
【００３８】
ここで、一方の回転ローラ３ｂは、後述する駆動機構７（図３）のモータ７ａにより駆動され、他方の回転ローラ３ｃは、無端ベルト３ａを介して回転ローラ３ｂに従動するように構成されている。また、回転ローラ３ｂは、回転ローラ３ｃよりも高い位置に配されているので、無端ベルト３ａは傾斜している。そして、無端ベルト３ａ上の遊技媒体１を回転ローラ３ｃ側から回転ローラ３ｂ側へ送るように、ローラの回転方向が設定されている。また、この無端ベルト３ａの回転ローラ３ｃ側には、傾斜板２ａから落下した遊技媒体１を無端ベルト３ａから脱落しないように拘束するとともにオーバーフロー量を調整するオーバーフロー調整板２ｂが設けられている。
【００３９】
また、このメダル移送手段３の回転ローラ３ｂ側には、無端ベルト３ａの上側に、回転しながらブラシの先端で上に重なった余分な遊技媒体１を排除する円形放射状の整列ブラシ３ｄが設けられている。すなわち、この整列ブラシ３ｄは、遊技媒体１を一枚ずつ通過させることができる間隙を移送手段３との間に設けるように、移送手段３の上方に配置され、図２において反時計回り（送り方向と逆方向）に回転することにより、上に重なった余分な遊技媒体１を排除して、一枚を越える余分な遊技媒体１を無端ベルト３ａの後端側に戻すようになっている。
【００４０】
この整列ブラシ３ｄの後流側は、仕切り板２ｃで覆われるとともに、その下側には整列ブラシ３ｄの下を一枚ずつ通過する遊技媒体１を研磨機対４に案内するためのガイド２ｄが設けられている。
【００４１】
上記研磨機対４は、一方の研磨機５と、他方の研磨機６とを有しており、これら研磨機対４の一方の研磨機５と他方の研磨機６とは、一方の研磨機５の研磨部材５ａと他方の研磨機６の研磨部材６ａとの間に遊技媒体１を挟持して搬送しながら遊技媒体１を水などの洗浄液を用いないで研磨するようになっている。
【００４２】
ここで、一方の研磨機５は、外周に乾式の研磨部材５ａとして研磨ブラシが設けられた回転ローラーで構成され、この研磨部材５ａが所定の周速度で周回駆動される。
【００４３】
また、他方の研磨機６も、同じく外周に乾式の研磨部材６ａとして研磨ブラシが設けられた回転ローラーで構成され、この研磨部材６ａが一方の研磨機５に設定された周速度より速い周速度で周回駆動される。
【００４４】
それ故、研磨機対４が遊技媒体１を挟持して搬送する際、遊技媒体１は、これらの周速度の中間の速度で駆動され、その結果、一方の研磨機５の研磨部材５ａと他方の研磨機６の研磨部材６ａとが、それぞれ遊技媒体１に対して相対的な運動をして、遊技媒体１を搬送しながら、研磨するように構成されている。
【００４５】
また、複数の研磨機対４の並びにおいて、それぞれの研磨機対４の一方の研磨機５は、隣接する研磨機対４の他方の研磨機６の隣に配置されるとともに、それぞれの研磨機対４の他方の研磨機６は、隣接する研磨機対４の一方の研磨機５の隣に配置されて、遊技媒体１のそれぞれの側が、周速度の遅い一方の研磨機５と周速度の速い他方の研磨機６とにより交互に研磨されるようになっている。
【００４６】
さらに、３つの研磨機対４の間には、遊技媒体１を一方の研磨機５と他方の研磨機６との間に案内するためのガイド４ａがそれぞれ一対ずつ計２対設けられている。
【００４７】
なお、上記研磨部材５ａ、６ａは、研磨機５、６に対して着脱自在に軸支されるローラー軸の外周に研磨ブラシが固定されたものであり、このローラー軸を介して研磨機５、６から動力を受けて回転駆動される。そして、この研磨部材５ａ、６ａは、全体が、耐水性材料あるいは耐溶剤性材料で構成され、例えば研磨部材５ａ、６ａが汚れたり、磨耗したり、損傷したりした場合には、研磨部材５ａ、６ａを水あるいは溶剤で洗浄するなどのメンテナンスをしたり、あるいは取り替えたりして、遊技媒体１の表面を常に良好な状態に維持することができるように構成されている。
【００４８】
ここで、図３を参照して、回転ローラ３ｂと、整列ブラシ３ｄと、各研磨機対４の研磨機５、６とを駆動させる駆動機構７について説明する。
【００４９】
図３は、遊技媒体研磨装置１０の内部の構成を駆動側から（図２を裏側から）見た概念図であり、遊技媒体１は、図３において、左から右へと移送される。
【００５０】
上記駆動機構７は、駆動モータ７ａと、ベルト７ｂとを備えており、駆動モータ７ａに設けられた駆動歯車７ｃが、時計周りに回転することにより、ベルト７ｂを介して、回転ローラ３ｂ（図２）の歯車３ｅと整列ブラシ３ｄ（図２）の歯車３ｆとが図３において時計周りに回転するように構成されている。
【００５１】
そして、回転ローラ３ｂ（図２）が、図２において反時計周りに回転することにより、他方の回転ローラ３ｃ（図２）が、無端ベルト３ａ（図２）を介して図２において反時計周りに回転する。
【００５２】
また、歯車３ｅが図３において時計周りに回転することにより、歯車３ｅに同心に固定された歯車３ｇを介して研磨機対４（対Ａ）の一方の研磨機５（図２）の歯車５ｂ（Ａ）が反時計周りに、他方の研磨機６の歯車６ｂ（Ａ）が時計周りに回転する。
【００５３】
そして、歯車５ｂ（Ａ）が図３において反時計周りに回転することにより、研磨機対４（対Ｂ）の一方の研磨機５の歯車５ｂ（Ｂ）が時計周りに、他方の研磨機６の歯車６ｂ（Ｂ）が反時計周りに回転する。
【００５４】
また、研磨機対４（対Ｂ）の一方の研磨機５の歯車５ｂ（Ｂ）が図３において時計周りに回転することにより、研磨機対４（対Ｃ）の一方の研磨機５の歯車５ｂ（Ｃ）が反時計周りに、他方の研磨機６の歯車６ｂ（Ｃ）が時計周りに回転する。
【００５５】
なお、対Ａ、対Ｂ、対Ｃのいずれの対においても歯車５ｂの方が歯車６ｂより大径であるので、歯車５ｂの回転数が歯車６ｂの回転数より少なくなる。また、一方の研磨機５の研磨部材５ａと他方の研磨機６の研磨部材６ａとは、略同径であるので、その結果、一方の研磨機５の研磨部材５ａの方が、他方の研磨機６の研磨部材６ａより周速度が遅くなる。
【００５６】
次に図４〜図７を参照して、本発明の第１の実施形態に係る遊技媒体研磨装置１０の作用について説明する。
【００５７】
図４は、遊技媒体１の受け入れの状態を示す説明図であり、図５は、整列ブラシ３ｄによる、遊技媒体１の整列の状態を示す説明図である。また、図６は、研磨機対４による研磨の状態を示す説明図であり、図７は、遊技媒体１が、研磨機対４の排出の状態を示す説明図である。
【００５８】
図４に示すように、本発明の第１の実施形態に係る遊技媒体研磨装置１０においては、図示のように、投入された遊技媒体１は、本体２の傾斜板２ａを滑るようにしてメダル移送手段３に与えられる。
【００５９】
また、図５に示すように、メダル移送手段３に与えられた遊技媒体１は、無端ベルト３ａ上を搬送されていく過程で、整列ブラシ３ｄにより、１枚ずつに分離され、研磨機対４に供給される。
【００６０】
そして、図６に示すように、研磨機対４の一方の研磨機５と他方の研磨機６との間に噛込まれた遊技媒体１が、研磨部材５ａ、６ａにより研磨され、遊技媒体１に付着している汚れが掻き落とされる。
【００６１】
また、図７に示すように、研磨された遊技媒体１は、研磨機対４から排出された後、案内部材４ｂを介して本体２の内部に設けたシュータ２ｈを通って下方に設けられた図略の遊技媒体タンクに回収される。
【００６２】
以上説明したように、本発明の実施の形態に係る遊技媒体研磨装置１０によれば、乾式の研磨部材５ａと研磨部材６ａとの間に遊技媒体１を挟持して研磨するので、水などの洗浄液を必要としない結果、漏水対策を施す必要がなく、装置全体構造の簡素化と製造コストの低減を図ることができる遊技媒体研磨装置１０を実現することができる。
【００６３】
また、このように遊技媒体１の研磨に際して洗浄液を必要としないので、洗浄液を取り替えるような煩わしい作業が不要となる結果、装置のメンテナンスが容易になる。
【００６４】
さらに、研磨機対４が遊技媒体１を挟持して搬送する際、一方の研磨機５と他方の研磨機６との周速度が異なるために、遊技媒体１は、これらの周速度の中間の速度で駆動されることになる。その結果、一方の研磨機５の研磨部材５ａと他方の研磨機６の研磨部材６ａとが、それぞれ遊技媒体１に対して相対的な運動をすることになり、遊技媒体１は、それぞれの研磨機から摩擦力を受け、研磨される。このように、本遊技媒体研磨装置１０によれば、遊技媒体１をスムースに搬送しながら、しかも遊技媒体１の両方の側を確実に研磨することができるようになる。
【００６５】
また、遊技媒体研磨装置１０によれば、研磨部材５ａに備えられた研磨ブラシにより、遊技媒体１の表面に凹凸があってもむらなく研磨をすることができるようになる。また、遊技媒体１の表面を傷つけることを防止することができる。
【００６６】
さらに、研磨機対４の研磨機が、それぞれ回転ローラで構成されるので、従来の回転駆動装置や搬送の技術を適用することが可能になる結果、構造が簡単で安価な装置とすることができるようになる。
【００６７】
そして、遊技媒体１のそれぞれの側が、周速度の遅い一方の研磨機５と周速度の速い他方の研磨機６とにより交互に研磨される結果、遊技媒体１の表面をむらなく研磨することができるようになる。
【００６８】
次に、図８と図９とを参照して、本発明の第２の実施形態に係る遊技媒体研磨装置２０について詳述する。図８は第２の実施形態に係る遊技媒体研磨装置２０の構成を示す説明図であり、図９は、遊技媒体研磨装置２０の研磨機２５、２６の構成を示す説明図である。なお、第１の実施形態に係る遊技媒体研磨装置１０と同様の構成については同じ符号を付し、説明の重複を避けるものとする。
【００６９】
図８と図９とを参照して、図示の本発明の第２の実施形態に係る遊技媒体研磨装置２０においては、研磨機対２４は、一方の研磨機２５と、他方の研磨機２６とを有しており、これら研磨機対２４の一方の研磨機２５と他方の研磨機２６とは、一方の研磨機２５の研磨部材２５ａと他方の研磨機２６の研磨部材２６ａとの間に遊技媒体１を挟持して搬送しながら遊技媒体１を水などの洗浄液を用いないで研磨するようになっている。
【００７０】
ここで、一方の研磨機２５は、ローラー軸２５ｂの外周に乾式の研磨部材２５ａとして粘着部材２５ｃ（図９）が設けられた回転ローラーを備えており、この研磨部材２５ａが所定の周速度で周回駆動される。
【００７１】
また、他方の研磨機２６も、一方の研磨機２５と同様にローラー軸２６ｂの外周に乾式の研磨部材２６ａとして粘着部材２６ｃ（図９）が設けられた回転ローラーを備えており、この研磨部材２６ａが、第１の実施形態に係る遊技媒体研磨装置１０と同様に、一方の研磨機２５に設定された周速度より速い周速度で周回駆動される。
【００７２】
なお、上記研磨部材２５ａ、２６ａは、研磨機２５、２６に対して着脱自在に軸支されるローラー軸２５ｂ、２６ｂの外周に粘着部材２５ｃ、２６ｃが固定されたものであり、このローラー軸２５ｂ、２６ｂを介して研磨機２５、２６から動力を受けて回転駆動される。そして、この研磨部材２５ａ、２６ａは、全体が、耐水性材料あるいは耐溶剤性材料で構成されている。
【００７３】
このうち、上記粘着部材２５ｃ、２６ｃは弾力性と粘着性とを兼ね備えたシリコンゴムで構成されており、このシリコンゴムの粘着力で遊技媒体１の両面の汚れを吸着して取り除くようになっている。
【００７４】
このように、遊技媒体研磨装置２０によれば研磨部材２５ａ、２６ａが、研磨機２５、２６に対して着脱自在に設けられているので、例えば研磨部材２５ａ、２６ａが汚れたり、磨耗したり、損傷したりした場合には、研磨部材２５ａ、２６ａをメンテナンスしたり取り替えたりすることができる結果、遊技媒体の表面を常に良好な状態に維持することができるようになる。
【００７５】
特に、研磨部材２５ａ、２６ａが、研磨機２５、２６に対して着脱自在に軸支されるローラー軸２５ｂ、２６ｂの外周に粘着部材２５ｃ、２６ｃが固定されたものであり、このローラー軸２５ｂ、２６ｂを介して研磨機２５、２６から動力を受けて回転駆動されるので、研磨部材２５ａ、２６ａの回転駆動、研磨機２５、２６に対する着脱およびメンテナンスが容易で取り扱いやすい遊技媒体研磨装置を実現することができる。
【００７６】
さらに、研磨部材２５ａ、２６ａが、耐水性材料あるいは耐溶剤性材料からなるので、研磨部材２５ａ、２６ａを水あるいは溶剤で洗浄してその汚れを取り除くことができるようになる。
【００７７】
特に、粘着部材２５ｃ、２６ｃがシリコンゴムからなるので、遊技媒体１の汚れをより効果的に吸着させることができる。また、シリコンゴムは、水その他の溶剤で容易に洗浄することができるだけでなく繰り返し再使用することができるので、経済的に遊技媒体１の汚れを取り除くことができる。
【００７８】
このように、遊技媒体研磨装置２０によれば、研磨機対２４の研磨機２５、２６の研磨部材２５ａ、２６ａが、それぞれ粘着部材２５ｃ、２６ｃを備えているので、遊技媒体１の汚れを粘着部材２５ｃ、２６ｃに集中的に吸着させることができる結果、この粘着部材２５ｃ、２６ｃを取り替えたり洗浄したりするだけで遊技媒体１の汚れを回収することができる。
【００７９】
上述した実施の形態は本発明の好ましい具体例を例示したものに過ぎず、本発明は上述した実施の形態に限定されない。
【００８０】
例えば、メダル１は、スロットマシンに用いられるメダルに限定されない。また、円形コイン状の金属製部材にも限定されない。各種遊技において遊技媒体として用いられるものであれば、種々の材質、形状のメダルが採用可能である。
【００８１】
本体２も、ステンレスや合成樹脂被覆鋼板などで矩形に組み立てられた箱体に限定されず、材質、形状など種々の設計変更が可能である。
【００８２】
また、メダル移送手段３は、種々の設計変更が可能であるだけでなく、必ずしも必須でない。例えば、傾斜板２ａから直接研磨部材５ａ、６ａの間に遊技媒体１を一枚ずつ供給して遊技媒体１を研磨するような構成も採用可能である。
【００８３】
また、一方の研磨機５、２５と他方の研磨機６、２６とは、必ずしも研磨ブラシや粘着部材が設けられた回転ローラーで構成されたものに限定されない。例えば、２つの回転ローラーに掛け渡された無端ベルトに、研磨ブラシや粘着部材やフェルト生地のような布材の研磨部材を設けたベルトコンベアで構成してもよいなど、種々の乾式研磨部材と研磨機の方式が採用可能である。
【００８４】
この場合、研磨機対４、２４の研磨機が、それぞれベルトコンベアで構成されるので、従来の回転駆動装置や搬送の技術を適用することが可能になる結果、構造が簡単で安価な装置とすることができるようになる。
【００８５】
また、本実施形態では、一方の研磨機５、２５は、それぞれの研磨機対４、２４の間で略同じ周速に設定され、他方の研磨機６、２６も、それぞれの研磨機対４、２４の間で略同じ周速に設定されているが、必ずしもそのような構成である必要はない。例えば図２、２８に示す複数の研磨機対４、２４において右（Ａ）の上→右（Ａ）の下→中（Ｂ）の下→中（Ｂ）の上→左（Ｃ）の上→左（Ｃ）の下の順番で周速を上げていくような構成でも採用可能である。
【００８６】
また、研磨機対４、２４は、例えば一対だけでもよいなど必ずしも図示の数量にも限定されない。
【００８７】
また、駆動機構７も、必ずしも図示の形状に限定されず、例えば回転ローラ３ｂや整列ブラシ３ｄ、その他を個別にそれぞれの回転速度で駆動するなど、種々の駆動方法が採用可能である。
【００８８】
その他、本発明の特許請求の範囲内で種々の設計変更が可能であることはいうまでもない。
【図面の簡単な説明】
【００８９】
【図１】本発明の実施の形態に係る遊技媒体研磨装置の外観を示す斜視図である。
【図２】本発明の実施の形態に係る遊技媒体研磨装置の内部の構成を示す概念図である。
【図３】遊技媒体研磨装置の内部の構成を駆動側から（図２を裏側から）見た概念図である。
【図４】遊技媒体の受け入れの状態を示す説明図である。
【図５】整列ブラシによる、遊技媒体の整列の状態を示す説明図である。
【図６】研磨機対による研磨の状態を示す説明図である。
【図７】遊技媒体が、研磨機対の排出の状態を示す説明図である。
【図８】第２の実施形態に係る遊技媒体研磨装置の構成を示す説明図である。
【図９】第２の実施形態に係る遊技媒体研磨装置の研磨機の構成を示す説明図である。
【符号の説明】
【００９０】
１    遊技媒体
４、２４    研磨機対
５、２５    一方の研磨機
６、２６    他方の研磨機
５ａ、６ａ、２５ａ、２６ａ  研磨部材
１０、２０  遊技媒体研磨装置
２５ｂ、２６ｂ  ローラー軸
２５ｃ、２６ｃ  粘着部材
【図１】
2007007385.tif 000003
【図２】
2007007385.tif 000004
【図３】
2007007385.tif 000005
【図４】
2007007385.tif 000006
【図５】
2007007385.tif 000007
【図６】
2007007385.tif 000008
【図７】
2007007385.tif 000009
【図８】
2007007385.tif 000010
【図９】
2007007385.tif 000011